(57)【要約】      （修正有）【課題】収納後の設置乃至利用方法が一通りしかなかった従来の技術に基づく防災頭巾収納具を改善して、利便性の向上と着席時に於ける身体的負担の軽減を指向する。【解決手段】収納具は、本体に収納物の取出し口となる開口部を上縁乃至両側縁に一つ以上設けて、背面部には伸縮自在の紐状体が取付けられており、紐状体は該収納具の上方から下方に末広がりに配置された一対と該収納具の底辺に略平行方向に取付けられた少なくとも三本の組から成るので、防災頭巾を始めとする非常持出品収納後は背当てクッション及び座布団の代用として機能するのみならず単に椅子背もたれに装着させておくことも可能となり、収納具使用者に三通りの設置乃至利用方法を提供する。【選択図】図２
0003110207.tif 000002
【実用新案登録請求の範囲】
【請求項１】
防災頭巾を始めとする非常持出品を収納する為の収納具であって、該収納具は収納物の取出し口となる開口部を上縁乃至両側縁に一つ以上設けて、背面部に伸縮自在の紐状体が取付けられており、該紐状体は該収納具の上方から下方に末広がりに配置された一対と該収納具の底縁に略平行方向に取付けられた少なくとも三本の組で成ることを特徴とする防災頭巾収納具。
【考案の詳細な説明】
【技術分野】
【０００１】  本考案は防災頭巾収納具に属するものである。
【背景技術】
【０００２】  従来の防災頭巾収納具に関する製造技術は、防災頭巾自体の形状が平板な略四角状のものが多かったこともあり、随伴する形でやはり略四角状の形状のものが多く、単一若しくは複数の素材を使用し適切な寸法に裁断した生地を袋状に仕立てて収納具本体とし、椅子の形状や使用者の利便性に配慮して椅子背もたれに設置して利用する場合は背掛け式と成る様、椅子座部に設置して利用する場合は座布団式と成る様、生地、ゴムテープ類その他製品の成り立ちに必要な一切の材料を用いて収納具本体に縫製その他の加工を施し取付けるという技術に基づいている。収納の対象は異なるが収納して後の使用例の多様化を図ったものとして特開平８−１４０８２１号や登録実用新案３０５７５０１号が挙げられる。
【考案の開示】
【考案が解決しようとする課題】
【０００３】  先ず、従来の技術に基づいて作られた防災頭巾収納具が利用される際、使用者は防災頭巾収納後、背当てクッションの代用として設置するか座布団の代用として設置するか択一的な利用方法を強いられており、一枚の防災頭巾収納具で収納後の設置乃至利用方法は一通りしか望めなかった背景を踏まえ、本考案はこの点を解決しようとする。そもそも着席時の安定感や快適性というものは個人差の多分に存するところであって個々の生活環境や体調に左右され易いことを考えると従来の技術では使用者に対する配慮が十分とは言い難く、設置乃至利用方法を増やせばその他の非常持出品を収納する機会も必然的に増えると考えるからである。
【課題を解決するための手段】
【０００４】  本考案収納具は、収納物の取出し口となる開口部を上縁乃至両側縁に一つ以上設けて、背面部には伸縮自在の紐状体が取付けられており、該紐状体は該収納具の上方から下方に末広がりに配置された一対と該収納具の底縁に略平行方向に取付けられた少なくとも三本の組から構成することにより上記課題を解決している。
【考案の効果】
【０００５】  本考案は上述の手段を用いて三通りの設置乃至利用方法が選択可能となるので、防災頭巾収納具の製品としての利便性が向上するのみならず当該使用者の置かれる生活環境や体調等に応じ使い分けが利く点で着席時の身体的負担の軽減に寄与する効果がある。
【考案を実施するための最良の形態】
【０００６】  該収納具本体の表生地、裏生地となる１の素材には天然繊維、合成繊維のいずれを使用しても差支えないが、使用者の求めに応じ適宜選択した上で収納の対象となる頭巾若しくはその他の非常持出品の外観寸法に対し縫い代及び収納の為の余裕幅を加えた裁断寸法を割出し、後述するゴムテープその他の付属材料の取付け位置に関する加工上の目印が製品完成時露出することのない様にこれを定めて略四角状に裁断し、二枚の裁断片を一組として用意する。【０００７】  これ以外に開口部（裏生地上部）に対して収納用の開閉用蓋２を同じく適切な寸法を定めて取付ける為用意するが、その外周は裁断によるほつれが露出せず適度に耐久性を保持することが求められるので表生地、裏生地１に使用した素材と同一の素材を用いて巻かれることが望ましい（縁巻３）。またその開閉は、緊急時を想定し極力簡易でスムーズに行うことが望ましいので、面ファスナーを用いてこれを行う。開閉用蓋所定の位置に凸面（４ａ、４ｂ）を、同位置を受け本体正面上部に凹面（５ａ、５ｂ）を配置する（図１参照）。【０００８】  これと平行して収納具背面部に対し椅子背もたれへ装着させる目的でゴムテープを三本用意する。三本の位置関係は図２に示す通りである。ゴムテープ６ｃは構造上６ａ、６ｂの上を横断する形でこれを配置する。その両端は本体の縫合わせ時所定の位置に縫込まれる。椅子背もたれ若しくは座部のどちらに設置する場合もゴムテープ６ｃは椅子背もたれへの装着の為にのみこれを使用する。一方、斜めに配置する二本のゴムテープ６ａ、６ｂは中心線ＡＡ’で半折した時線対称になる様配慮し、ゴムテープ中央に引いた想像線を伸張して該収納具底縁と想像線で形成される三角形ＢＣＤに於ける∠ＢＣＤ、∠ＢＤＣがともに７０°前後の等しい二角となる二等辺三角形を描く様設計する（図２参照）。二角を設定角より小さくしていくと二本のゴムテープの長さは増し、椅子への装着時に適度な密着性が得られず、大きくしていくとゴムテープの長さは短くなり密着性は向上するがゴムテープに対する負荷が増すので製品の耐久性に支障を来し望ましくない。本考案の収納対象は防災頭巾を始めとする非常持出品であって身近に置くことを前提としているので、収納物を傷めず着席時の安定性が得られる様きつ過ぎず緩過ぎないゴムテープの長さが指向される為前記角度に設定し配置することが適切であると判断した。ゴムテープ６ａ、６ｂは椅子背もたれへの装着にのみ用い、良好な密着性が確保される。【０００９】  また、本考案の使用される具体的な状況に極端な重量物や負荷は関与しないということを踏まえゴムテープの材質及び規格を選定する際、主にその耐久性が保持され製品全体の審美性が損なわれることの無い様配慮したいので、主原料をポリエステルとする２０乃至３０ミリメートル程度の規格の物を用いて上述の角度に設定し配置するのが設計の目的とするところに適う。【００１０】  本考案収納具背面部の構成材料については特に末広がりとなる一対の部分を上述の様なゴムテープを使用しないで異なる材料を用いてその機能を代替させること（例えば一枚の生地を用いてその代用とする等）は十分可能である。使用者のそうした要請があれば尚更であるが、設置の対象となる椅子の形状、規格により良く密着し、利便性を阻害しないことに配慮して上述の様な手段を用いるものである。【００１１】  考案の実施の形態としては、上記に加え家庭用品品質表示法に基づく品質表示や使用者の表示を目的とする片布７等実際の一般縫製品の成り立ちに必要な付属材の取付けまでを含むが、課題を解決する手段への関連性が希薄である為その実施の形態に関する説明はこれを割愛する。【００１２】  防災頭巾を始めとする非常持出品を収納して後は図４、図５、図６に示すように三通りの利用方法があり、使用者が意図するところに従い使い分けることが出来るが、図４及び図６を背掛け式、図５を座布団式の説明に其々用いることとし、詳細の説明は組立方法とともに実施例に譲ることとする。
【実施例】
【００１３】  以下、添付図面に従い本考案の一実施例について組立方法と利用方法を中心に説明する。先ずその組立方法は、収納時の開口部形成の為に表生地の上縁に対し折返し縫いを行い次いで裏生地の上縁に対し収納時に使用する開閉用蓋２が左右中心位置に縫着される様配置して、裏生地上縁と開閉用蓋２の間に椅子背もたれへの装着及び固定に用いるゴムテープ６ａ、６ｂが重なり合うことの無い様所定の間隔を定めて其々の上端部分を挿し込んで開口部形成の為の折返し縫いと開閉用蓋２の縫着とゴムテープ６ａ、６ｂの上端の縫着を一度に行い更に表生地と裏生地を重ね合わせて収納時の開口部となる上縁を除き両側縁及び底縁を縫い合わせる際、既に上端が縫着されているゴムテープ６ａ、６ｂの上に底縁と平行を保ち且つ底縁付近に位置する様所定の箇所にゴムテープ６ｃがもう一本椅子背もたれへの装着を目的として両側縁に挿し込まれ、同時にゴムテープ６ａ、６ｂの下端も底縁所定の位置に挿し込まれてゴムテープ６ａ、６ｂ、６ｃが収納具本体に縫い留まるので、袋状の本体部分と収納用の開閉用蓋２と椅子背もたれへの装着及び固定に用いるゴムテープ６ａ、６ｂ、６ｃから成る。【００１４】  次にその利用方法は、収納の対象を該収納具に入れて後（一例として図３参照）開閉用蓋２に縫着されている面ファスナー４ａが収納具本体に縫着されている面ファスナー５ａと、同じく開閉用蓋２に縫着されている面ファスナー４ｂが収納具本体に縫着されている面ファスナー５ｂと其々接着して収納が完了する。この後使用者は自身の判断で本考案カバーを下記の様に使い分けることが出来る。【００１５】  図４は本考案を背掛け式（背当てクッションの代用）として使用する場合の実施例である。図２に示した該収納具背面部を、開口部を上にして椅子背もたれ９に対し前方に位置させ、椅子背もたれ９にゴムテープ６ｃを通し椅子座部１０付近までスライドさせる。その後、ゴムテープ６ａ、６ｂを用いて椅子背もたれ９に対し図４に示す要領で装着し、固定させる。【００１６】  図６は椅子への装着状態を示したものであるが、本考案を背掛け式（この場合は単に椅子背もたれへの装着を目的とする）といってもクッションの代用としては用いない場合の使用例である。図２に示した該収納具背面部を、開口部を上にして椅子背もたれ９に対し後方に位置させ、椅子背もたれ９にゴムテープ６ｃを通し椅子座部１０までスライドさせる。その後ゴムテープ６ａ、６ｂを用いて椅子背もたれ９に対し図６に示す要領で装着し、固定させる。この方法は、椅子と使用者の間に設置すると着席時不都合を生じる様な物品を収納する時に好適な利用方法である。また、防災頭巾のように緩衝材（フェルト、わた等の芯材）が装填されている物品は図４乃至後述の図５に示した利用による場合着席時の緩衝材としても機能するが、着席時に於ける緩衝材の存在がいわゆる座り心地のよさに直結するとは必ずしも言えない場合もあるので図６に示した設置方法を選択する使用者も少なくない。【００１７】  図５も椅子への装着状態を示したものであって、本考案を座布団式（座布団の代用）として使用する場合の使用例である。図２に示した該収納具背面部を、開口部を下にして状態で椅子背もたれ９に対��前方に位置させ、椅子背もたれ９にゴムテープ６ｃを通し椅子座部１０まで十分に下げ、図２に示した該収納具背面部が椅子座部１０に接着して設置が完了する。使用者が着席した時、開口部は使用者の膝裏に位置するので取出しは容易なものとなる。
【図面の簡単な説明】
【００１８】
【図１】  本考案の一実施例を示す正面図である。
【図２】  本考案の一実施例を示す背面図である。
【図３】  本考案の一実施例に基づき防災頭巾を収納した状態を示す正面図である。
【図４】  本考案の一実施例の使用状態を示す背面図である。
【図５】  本考案の一実施例における他の使用例である。
【図６】  本考案の一実施例において椅子への装着状態を示す斜視図である。
【符号の説明】
【００１９】  １    側地（表生地、裏生地）
２    側地（開閉用蓋）
３    側地（縁巻）
４ａ  面ファスナー凸面
４ｂ  面ファスナー凸面
５ａ  面ファスナー凹面
５ｂ  面ファスナー凹面
６ａ  ゴムテープ
６ｂ  ゴムテープ
６ｃ  ゴムテープ
７    片布（氏名ほか表示用）
８    防災頭巾
９    椅子背もたれ
１０  椅子座部
【図１】
0003110207.tif 000003
【図２】
0003110207.tif 000004
【図３】
0003110207.tif 000005
【図４】
0003110207.tif 000006
【図５】
0003110207.tif 000007
【図６】
0003110207.tif 000008